(57)【要約】      （修正有）【課題】ブラシに絡みついた毛髪を軟質材料の変形によって取り除きやすくすることができ、掃除を便利にする清掃用ローラー及びそのローラーを有する塵埃除去装置を提供する。【解決手段】ローラー１は、ローラー体１０、及びローラー体内に設けられた枢軸部を含み、ローラー体は円筒状を呈し、その内側に中空域を有し、ローラー体の外側表面はブラシ１０１で被覆され、枢軸部はローラー体の中空域内に設けられ、ローラー体が外力に押圧されるとブラシにも変形が生じるように、ローラー体は軟質材料で構成されている。【選択図】図１
0003226372.tif 000002
【実用新案登録請求の範囲】
【請求項１】
円筒状を呈し、その内側に中空域を有しており、且つローラー体の外側表面はブラシで被覆されている、前記ローラー体と、
前記ローラー体の中空域内に設けられた枢軸部と、を含み、
そのうち、前記ローラー体が外力に押圧されると前記ブラシにも変形が生じるようにするため、前記ローラー体は軟質材料で構成されている、清掃用ローラー。
【請求項２】
前記ローラー体の中空域内に複数の支持部材が設けられており、それぞれ前記枢軸部の２つの側に位置している、請求項１に記載の清掃用ローラー。
【請求項３】
前記支持部材はゴム又はスポンジの材料で構成されている、請求項２に記載の清掃用ローラー。
【請求項４】
前記ブラシは第１ブラシ及び第２ブラシを含み、そのうち、前記第１ブラシは前記第２ブラシよりも軟らかい、請求項１又は請求項２に記載の清掃用ローラー。
【請求項５】
前記ローラー体の外側表面には溝が残されている、請求項４に記載の清掃用ローラー。
【請求項６】
前記溝はＶ字状若しくはＵ字状を呈するものか、又は波形状若しくは複数の螺旋線で構成されたものである、請求項５に記載の清掃用ローラー。
【請求項７】
前記枢軸部は前記ローラー体と一体成型する方法で構成されている、請求項１に記載の清掃用ローラー。
【請求項８】
前記枢軸部は、軸スリーブ、及び前記軸スリーブから延び出て前記ローラー体の内側に接続された複数の接続リブを有する、請求項１又は請求項７に記載の清掃用ローラー。
【請求項９】
除去工具をさらに含み、且つ前記除去工具は前記ローラーを嵌め入れるのに供することができるスリーブ孔を有しており、前記スリーブ孔の口径は、前記ローラー体の外径よりも大きく、且つ前記ブラシの外径よりも小さい、請求項１に記載の清掃用ローラー。
【請求項１０】
請求項１に記載の清掃用ローラーが設けられた、塵埃除去装置。
【考案の詳細な説明】
【技術分野】
【０００１】
本考案は清掃用具に関し、特に清掃用ローラー及びそのローラーを有する塵埃除去装置に関するものである。
【背景技術】
【０００２】
室内清掃は、今の時代どの家でも日常的に行われる作業の１つである。掃除においては、一般的な塵埃だけでなく、人体から落ちる毛髪なども除去するのが比較的難しく、毛髪を付着させられる清掃用ローラーを床などの掃除したい場所で人手か又は器具の連動により転動させて、毛髪をローラーに付着させることで清掃の目的を達成しなければならないことが往々にしてある。
【０００３】
しかし、上述のローラー上の毛髪を掃除したいとき、一般的なローラーはいずれも一定の硬度を有する材質で構成されており、しかも毛髪がローラー上のブラシに絡まりやすいために除去しづらく、清掃用具を一定期間使用した後には、大量の毛髪がしつこく絡みついて清潔さや衛生を保つのが困難であった。
【０００４】
これに鑑み、上述の欠点を改善し、且つ解決するため、本考案者が研究に専念し、且つ学理を応用して組み合わせた結果、ついに設計が合理的であるとともに上述の欠点が効果的に改善される本考案を提出するに至った。
【考案の概要】
【考案が解決しようとする課題】
【０００５】
本考案は、清掃用ローラー及びそのローラーを有する塵埃除去装置の提供を可能にすることを目的としている。それは、軟質の材料で構成されており、絡まった毛髪を軟質材料の変形によって容易に取り除くことができ、これによって掃除を便利にする目的を達成している。
【課題を解決するための手段】
【０００６】
上述の目的を達成するために、本考案が提供する清掃用ローラーは、ローラー体、及びローラー体内に設けられた枢軸部を含み、ローラー体は円筒状を呈し、その内側に中空域を有しており、且つローラー体の外側表面はブラシで被覆されており、枢軸部はローラー体の中空域内に設けられており、そのうち、ローラー体が外力に押圧されるとブラシにも変形が生じるようにするため、ローラー体は軟質材料で構成されている。
【０００７】
上述の目的を達成するために、本考案は塵埃除去装置を提供するが、それは上述の清掃用ローラーが設けられた掃除機、ロボット掃除機又は各種掃除用具でよい。
【図面の簡単な説明】
【０００８】
【図１】本考案のローラーと支持部材の立体分解概念図である。
【図２】本考案のローラーと支持部材の立体組立概念図である。
【図３】本考案のローラーと支持部材の内部構造概念図である。
【図４】図３の４−４断面の断面図である。
【図５】本考案の塵埃除去装置とローラーの立体組立概念図である。
【図６】本考案のローラーを使用した後の概念図である。
【図７】本考案のローラーを掃除する時の概念図である。
【考案を実施するための形態】
【０００９】
審査官が本考案の特徴及び技術内容をより理解できるよう、以下の本考案に関する詳細な説明及び図面を参照されたい。但し、添付図面はもっぱら参考及び説明のために提供するものであり、本考案を制限するためのものではない。
【実施例】
【００１０】
図１、図２及び図３を参照されたい。それぞれ、本考案のローラーと支持部材の立体分解概念図、立体組立概念図及び内部構造概念図である。本考案は清掃用ローラー及びそのローラーを有する塵埃除去装置を提供するが、ローラー１は各種清掃用具又は塵埃除去装置２（図５に示す通り）において使用することができる。塵埃除去装置２は掃除機又はロボット掃除機でよく、ローラー１は、ローラー体１０、及びローラー体１０内に設けられた枢軸部１１を含む。
【００１１】
ローラー体１０は円筒状を呈し、転動するのに適しており、且つ円筒状を呈するローラー体１０の内部は中空域１００を有しており、枢軸（図示しない）などの構造で枢設して連結するのに供することで、各種清掃用具において使用したり、上述の塵埃除去装置２に取り付けたりすることが可能となる。ローラー体１０の外側表面はブラシ１０１で被覆されており、ローラー体１０が外力に押動されるか又は連動して掃除したい場所の上を転動するとき、ブラシ１０１が塵埃又は毛髪を付着させることで、清掃の目的が達成される。
【００１２】
本考案で挙げる実施例において、ブラシ１０１は、実際の使用に応じて様々な軟度や硬度のブラシを採用することができ、第１ブラシ１０１ａ及び第２ブラシ１０１ｂを少なくとも含み、そのうち、第１ブラシ１０１ａは第２ブラシ１０１ｂよりも軟らかく、且つローラー体１０の外側表面には、集塵を目的として使用する、ブラシが何もない溝１０２を残しておくことができ、溝１０２は、略Ｖ字状若しくは略Ｕ字状、又は波形状若しくは複数の螺旋線などで構成されたものでよく、且つ転動する方向に合わせて設けることができる。
【００１３】
再び図３及び図４を併せて参照して、枢軸部１１は上述のローラー体１０の中空域１００内に設けられており、各種清掃用具又は上述の塵埃除去装置２と枢設して連結するのに用いることができる。本考案で挙げる実施例において、枢軸部１１は、軸スリーブ１１０、及び軸スリーブ１１０から延び出てローラー体１０内側に接続された複数の接続リブ１１１を含み、且つ軸スリーブ１１０に少なくとも１つのキー溝１１２を設けて、枢設して連結される枢軸を位置合わせして連結するのに供することができる。これにより、図５に示す通り、上述の塵埃除去装置２などの清掃用具又は装置へのローラー１の取り付けを便利にすることができる。
【００１４】
ローラー１が上述の塵埃除去装置２又は清掃用具に使用された後は、図６に示す通り、ローラー１のブラシ１０１に塵埃又は毛髪などの汚れが絡みつく。そのうち、特に毛髪はもつれてブラシ１０１にしつこく絡みつきやすく、除去しづらいため、本考案は主にローラー体１０を軟質材料で構成しており、軟質材料はゴムでよく、そうすることで、外力に押圧されたローラー体１０を変形させることができ、ローラー体１０の外側表面を被覆しているブラシ１０１も共に変形させることができるため、ブラシ１０１に絡みついている毛髪がブラシ１０１から剥がしやすくなり、毛髪などの汚れにローラー体１０の軸方向の外力を加えれば、汚れをブラシ１０１から簡単に取り除くことができ、掃除を容易にする目的が達成される。また、図７に示す通り、本考案は除去工具１３によって実施してもよく、除去工具１３は筒状体を呈することができ、且つローラー１を嵌め入れるのに供することができるスリーブ孔１３０を有しており、スリーブ孔１３０の口径ｄは、ローラー体１０の外径よりも大きく、且つブラシ１０１の外径よりも小さく、これにより、ローラー１をスリーブ孔１３０内に嵌め入れるとき、ブラシに絡みついた毛髪を除去工具によって取り除くことができる。
【００１５】
また、再び図１〜図３を参照して、本考案はローラー体１０の中空域１００内に複数の支持部材１２を増設してもよく、支持部材１２はゴム又はスポンジなどの材料で構成し、それぞれ枢軸部１１の２つの側に位置させることができる。枢軸部１１はローラー体１０と一体成型する方法で構成してもよく、枢軸部１１は軟質などの軟質材料とし、且つ接続リブ１１１は屈曲状を呈し、ローラー体１０が外力を受けて変形する際の屈曲度合いを増やすことができる。
【００１６】
上述の構造で構成することにより、本考案の清掃用ローラー及びそのローラーを有する塵埃除去装置を得ることができる。
【００１７】
要約すると、本考案は想定した使用目的を達成し、従来における欠点を解決することができ、新規性及び進歩性に富み、実用新案登録の要件を完全に満たしているため、特許法に則りここに申請を提出するものであり、考案者の権利保護のため、本考案を精査且つ登録賜りたくお願いする。
【００１８】
但し、上述は本考案の好適で可能な実施例に過ぎず、本考案の実用新案登録請求の範囲を限定するものではなく、本考案の明細書及び図面の内容を応用した同等の効果が得られる技術、手段などの改変は、いずれも同じ原理として本考案の範囲内に包含されることを理解されたい。
【符号の説明】
【００１９】
［本考案］
１  ローラー
１０  ローラー体
１００  中空域
１０１  ブラシ
１０１ａ  第１ブラシ
１０１ｂ  第２ブラシ
１０２  溝
１１  枢軸部
１１０  軸スリーブ
１１１  接続リブ
１１２  キー溝
１２  支持部材
１３  除去工具
１３０  スリーブ孔
２  塵埃除去装置
【図１】
0003226372.tif 000003
【図２】
0003226372.tif 000004
【図３】
0003226372.tif 000005
【図４】
0003226372.tif 000006
【図５】
0003226372.tif 000007
【図６】
0003226372.tif 000008
【図７】
0003226372.tif 000009